(57)【要約】【課題】チャット通信の通信コストを節約するチャット通信装置及びシステムを提供する。【解決手段】携帯端末同士のチャット通信を実現すべく携帯端末に組み込まれて実現されるチャット通信装置であって、発言更新ボタンが押されたときに新しい発言がなければ最新行１行だけを受信し、新しい発言があるときは全行受信するものである。携帯端末同士のチャット通信を実現すべく、ネットワーク上のサーバにおいて実現されるチャット通信システムであって、発言更新ボタンが押されたときに新しい発言がなければ最新行１行だけを送信し、新しい発言があるときは全行送信するものである。【選択図】　　図１
0003097497.tif 000002
【実用新案登録請求の範囲】
【請求項１】
携帯端末同士のチャット通信を実現すべく携帯端末に組み込まれて実現されるチャット通信装置であって、
発言更新ボタンが押されたときに新しい発言がなければ最新行１行だけを受信し、新しい発言があるときは全行受信するチャット通信装置。
【請求項２】
携帯端末同士のチャット通信を実現すべく、ネットワーク上のサーバにおいて実現されるチャット通信システムであって、
発言更新ボタンが押されたときに新しい発言がなければ最新行１行だけを送信し、新しい発言があるときは全行送信するチャット通信システム。
【考案の詳細な説明】
【０００１】
【考案の属する技術分野】本考案は、携帯端末同士のチャット通信（ネットワークにアクセスしているユーザ同士が画面上で文字を使ってリアルタイムに会話をすること）を実現すべくネットワーク上のサーバ又はそれぞれの携帯端末に組み込まれる通信システム又は通信装置に関する。
【０００２】
【従来の技術】従来は、チャットに参加している携帯端末のユーザは新しい書き込みがされたかどうかチェックするために頻繁に更新ボタンを押して、そのたびに全行受信していた。
【０００３】
【考案が解決しようとする課題】したがってかなりの通信量であるためそのデータ量に応じた通信コストがかかっていた。そこで、本考案の考案者は、頻繁に更新ボタンを押すことが書き込みがあったかどうかのチェック目的であることに着眼して、通信コストを削減する通信装置及びシステムを提供できることに気づいた。本考案の目的は、チャット通信の通信コストを節約するチャット通信装置及びシステムを提供することにある。
【０００４】
【課題を解決するための手段】かかる課題を解決すべく、本考案にかかるチャット通信装置は、携帯端末同士のチャット通信を実現すべく携帯端末に組み込まれて実現されるチャット通信装置であって、発言更新ボタンが押されたときに新しい発言がなければ最新行１行だけを受信し、新しい発言があるときは全行受信するものである。
【０００５】請求項２に記載した考案は、携帯端末同士のチャット通信を実現すべく、ネットワーク上のサーバにおいて実現されるチャット通信システムであって、発言更新ボタンが押されたときに新しい発言がなければ最新行１行だけを送信し、新しい発言があるときは全行送信するものである。
【０００６】
【考案の実施の形態】以下、図面を参照しつつ、本考案の実施形態について説明する。本考案において携帯端末とは、いわゆる携帯電話のみならずＰＤＡ（パーソナルデータアシスタント）をも含むものである。
【０００７】図１は、表示画面に全行表示された様子を示すハードコピーである。更新ボタン２０を押したときに押した本人の新しい書き込みが発言入力欄１０にある場合、又は他のチャット参加者の新しい書き込みがある場合には、内容表示３０に全行表示がなされる。
【０００８】図２は、更新ボタン２０を押したときに発言入力欄１０に新しい発言がなかった場合、内容表示３０に最新行だけを表示する様子を示すハードコピーである。例えば、ファイル構造としてチャット参加者個別の発言ファイルとチャット共通のファイルを持ち、個別の発言ファイルの更新時刻と共通ファイルの更新時刻を比べて共通ファイルの更新時刻に変更がなければ更新がなかったと判断して、最新行のみを表示する。
【０００９】
【考案の効果】
以上説明したように本考案は、チャット通信の際の携帯電話の通信のデータ量を少なくするという効果がある。これにより、通信コストの削減が可能となる。
【図面の簡単な説明】
【図１】表示画面に全行表示された様子を示すハードコピーである。
【図２】更新ボタンを押したときに新しい発言がなかった場合、最新行だけを表示する様子を示すハードコピーである。
【符号の説明】
１０　発言入力欄
２０　更新ボタン
３０　内容表示
【図１】
0003097497.tif 000003
【図２】
0003097497.tif 000004
【手続補正書】
【提出日】平成15年3月28日(2003.3.28)
【手続補正１】
【補正対象書類名】明細書
【補正対象項目名】実用新案登録請求の範囲
【補正方法】変更
【補正の内容】
【実用新案登録請求の範囲】
【請求項１】
携帯端末同士のチャット通信を実現すべく携帯端末に組み込まれて実現されるチャット通信装置であって、
発言更新ボタンが押されたときに新しい発言がなければ最新行１行だけを受信する節約受信手段と、
新しい発言があるときは全行受信する全行受信手段
とを有するチャット通信装置。
【請求項２】
携帯端末同士のチャット通信を実現すべく、ネットワーク上のサーバにおいて実現されるチャット通信システムであって、
発言更新ボタンが押されたときに新しい発言がなければ最新行１行だけを送信する節約送信手段と、
新しい発言があるときは全行送信する全行送信手段
とを有するチャット通信システム。
【手続補正書】
【提出日】平成15年7月30日(2003.7.30)
【手続補正２】
【補正対象書類名】明細書
【補正対象項目名】実用新案登録請求の範囲
【補正方法】変更
【補正の内容】
【実用新案登録請求の範囲】
【請求項１】
インターネットに接続可能な複数の携帯端末間のチャット通信を実現すべく、前記複数の携帯端末と、それらを結びつける通信ネットワークと、該通信ネットワーク上に設けられたサーバとからなるチャット通信システムであって、
前記サーバは、
前記複数の携帯端末のそれぞれの表示画面に入力欄、発言更新ボタンを表示させるべく送信する入力欄発言更新ボタン送信手段と、
前記複数の携帯端末のうちのいずれかにおいて発言更新ボタンが押されたときにその情報を受けて、前記複数の携帯端末のうちの他の端末からの新規書き込みがあるか否かを見て、新規書き込みがある場合にその新規書き込みの情報を発言更新ボタンが押された携帯端末の表示画面に表示させるべく送信する発言内容全行送信手段と、
を有し、
前記携帯端末は、
前記サーバの入力欄発言更新ボタン送信手段から送信された入力欄、発言更新ボタンの情報に基づいてそれぞれの表示画面の最上部に入力欄、発言更新ボタンを表示する入力欄発言更新ボタン表示手段と、
前記サーバの発言内容送信手段から送信された発言内容の情報に基づいてそれぞれの表示画面の入力欄、発言更新ボタンの下の部分により新しいものを上にして順次表示する発言内容表示手段と
を有するチャット通信システム。
【請求項２】
インターネットに接続可能な複数の携帯端末間のチャット通信を実現すべく、前記複数の携帯端末と、それらを結びつける通信ネットワークと、該通信ネットワーク上に設けられたサーバとからなるチャット通信システムであって、
前記サーバは、
前記複数の携帯端末のそれぞれの表示画面に入力欄、発言更新ボタンを表示させるべく送信する入力欄発言更新ボタン送信手段と、
前記複数の携帯端末のうちのいずれかにおいて発言更新ボタンが押されたときにその情報を受けて、前記複数の携帯端末のうちの他の端末からの新規書き込みがあるか否かを見て、新規書き込みがない場合に最新行１行だけの情報を発言更新ボタンが押された携帯端末の表示画面に表示させるべく送信する発言内容節約送信手段と、
を有し、
前記携帯端末は、
前記サーバの入力欄発言更新ボタン送信手段から送信された入力欄、発言更新ボタンの情報に基づいてそれぞれの表示画面の最上部に入力欄、発言更新ボタンを表示する入力欄発言更新ボタン表示手段と、
前記サーバの発言内容送信手段から送信された発言内容の情報に基づいてそれぞれの表示画面の入力欄、発言更新ボタンの下の部分により新しいものを上にして順次表示する発言内容表示手段と
を有するチャット通信システム。